(57)【要約】【課題】駆動ドライバから、複数本の信号線を並列的に配置した配線材を介して表示デバイスに表示データを供給する場合に、この配線材内のインダクタンス成分の影響のバラつきによる輝度ムラを目視しにくく、または目視することができない程度にまで低減する。【解決手段】配線材５１を経由した後の表示データＤ１〜Ｄ５を伝送する信号線２ａ〜２ｅの配列を、配線材５１内のインダクタンス成分の影響が相対的に大きい信号線を経由した表示データとインダクタンス成分の影響が相対的に小さい信号線を経由した表示データとが表示デバイス１の隣り合う画素Ｐまたは画素群に互い違いに供給されるように入れ替える。【選択図】図４
2007219496.tif 000002
【特許請求の範囲】
【請求項１】
駆動ドライバから、複数本の信号線を並列的に配置した配線材を介して表示データが供給され、該表示データのレベルに応じた輝度の映像を表示する表示デバイス用の配線構造において、
前記配線材を経由した後の前記表示データを伝送する信号線の配列を、前記配線材内のインダクタンス成分の影響が相対的に大きい信号線を経由した表示データとインダクタンス成分の影響が相対的に小さい信号線を経由した表示データとが前記表示デバイスの隣り合う画素または画素群に互い違いに供給されるように入れ替えた
ことを特徴とする表示デバイス用の配線構造。
【請求項２】
請求項１に記載の表示デバイス用の配線構造において、
前記表示デバイス内において前記表示データを伝送する信号線の配列を、前記配線材内のインダクタンス成分の影響が相対的に大きい信号線を経由した表示データとインダクタンス成分の影響が相対的に小さい信号線を経由した表示データとが前記表示デバイスの隣り合う画素または画素群に互い違いに供給されるように入れ替えた
ことを特徴とする表示デバイス用の配線構造。
【請求項３】
請求項１に記載の表示デバイス用の配線構造において、
前記表示デバイスと前記配線材との間に基板が介在しており、該基板内において前記表示データを伝送する信号線の配列を、前記配線材内のインダクタンス成分の影響が相対的に大きい信号線を経由した表示データとインダクタンス成分の影響が相対的に小さい信号線を経由した表示データとが前記表示デバイスの隣り合う画素または画素群に互い違いに供給されるように入れ替えた
ことを特徴とする表示デバイス用の配線構造。
【請求項４】
請求項１に記載の表示デバイス用の配線構造において、
前記画素群は、赤，緑及び青色の表示単位である３個の画素から成ることを特徴とする表示デバイス用の配線構造。
【請求項５】
請求項１に記載の表示デバイス用の配線構造において、
前記信号線の配列の入れ替えを行わなかった場合と同じ表示データが各画素に供給されるように、前記駆動ドライバと前記配線材との間で、前記配線材に表示データを伝送する複数本の信号線の配列を入れ替えた
ことを特徴とする表示デバイス用の配線構造。
【請求項６】
請求項１に記載の表示デバイス用の配線構造において、
前記信号線の配列の入れ替えを行わなかった場合と同じ表示データが各画素に供給されるように、前記駆動ドライバ内で、前記配線材に表示データを伝送する複数本の信号線の配列を入れ替えた
ことを特徴とする表示デバイス用の配線構造。
【請求項７】
請求項１に記載の表示デバイス用の配線構造において、
前記表示デバイスは、透明電極を形成した透明な基板と、画素電極をマトリックス状に形成した駆動基板とが対向し、該２枚の基板間に液晶が狭持された液晶表示デバイスである
ことを特徴とする表示デバイス用の配線構造。
【請求項８】
請求項７に記載の表示デバイス用の配線構造において、
前記液晶表示デバイスは、複数のメタル層を形成したシリコン基板を前記駆動基板として用いたアクティブマトリクス駆動方式の液晶表示デバイスであり、
前記複数本の信号線を、前記複数のメタル層を用いて一部の信号線が他の信号線をまたぐようにして形成することにより、前記複数本の信号線の配列を入れ替えた
ことを特徴とする表示デバイス。
【請求項９】
請求項１に記載の表示デバイス用の配線構造において、
前記表示デバイスは、蛍光体を塗布したアノード基板と、電界電子放出素子を有するカソード基板とが対向し、該２枚の基板間を真空にしてスペーサで保持した電界電子放出型ディスプレイ表示デバイスである
ことを特徴とする表示デバイス用の配線構造。
【請求項１０】
請求項１に記載の表示デバイス用の配線構造において、
前記表示デバイスは、透明電極を形成した透明な基板と、画素電極をマトリックス状に形成した駆動基板とが対向し、該２枚の基板間に有機ＥＬ発光材料が狭持された有機ＥＬ表示デバイスである
ことを特徴とする表示デバイス用の配線構造。
【請求項１１】
請求項１に記載の表示デバイス用の配線構造において、
前記表示デバイスは、透明電極を形成した透明な基板と、画素電極をマトリックス状に形成した駆動基板とが対向し、該２枚の基板間に無機ＥＬ発光材料が狭持された無機ＥＬ表示デバイスである
ことを特徴とする表示デバイス用の配線構造。
【請求項１２】
光源からの射出光を光変調デバイスに照射し、表示データに応じて前記光変調デバイスで変調された光を投射する投射型表示装置において、
前記光変調デバイスは、
駆動ドライバから、複数本の信号線を並列的に配置した配線材を介して表示データが供給され、該表示データのレベルに応じた輝度の映像を表示する表示デバイスであり、
前記配線材を経由した後の前記表示データを伝送する信号線の配列を、前記配線材内のインダクタンス成分の影響が相対的に大きい信号線を経由した表示データとインダクタンス成分の影響が相対的に小さい信号線を経由した表示データとが前記光変調デバイスの隣り合う画素または画素群に互い違いに供給されるように入れ替えた
ことを特徴とする投射型表示装置。
【発明の詳細な説明】
【技術分野】
【０００１】
本発明は、駆動ドライバが外付けされる表示デバイス用の配線構造に関する。また本発明は、この配線構造を光変調デバイスに採用した投射型表示装置（プロジェクションシステム）に関する。
【背景技術】
【０００２】
近年、プロジェクションシステムの高精細化、小型化、高輝度化が進むにつれて、その表示デバイスとして、小型高精細が可能であり、なおかつ高い光利用効率が期待できる反射型デバイスが注目され、実用化されている。これは、透明電極を形成したガラス基板と、たとえばシリコン基板から成りＣ−ＭＯＳ半導体回路を形成した駆動基板とを対向させ、これらの２枚の基板間に液晶を注入したアクティブ型の反射型液晶表示デバイスである。駆動基板の上には、光の反射と液晶への電圧印加を行うための画素電極がマトリックス状に配置されている。画素電極は、一般には、ＬＳＩプロセスで用いられているアルミニウムを主成分とした金属材料で構成される。
【０００３】
この反射型液晶表示デバイスでは、画素電極に表示データ（信号電圧）を書き込むことにより、透明電極と画素電極の間に電位差を生じさせて、液晶に対して電圧を印加する。このとき、液晶はそれらの電極間の電位差に応じて光学的な特性が変化し、入射した光を変調することで輝度を変化させる。一般に、画素電極への書き込みは、行方向のゲート線と列方向のデータ線との交点に組み込まれた画素駆動回路内のスイッチング素子を制御することにより、表示領域の四隅のうちのいずれかの場所から順次行われる。
【０００４】
プロジェクションシステムの小型化を実現するために、表示データを生成する駆動ドライバＩＣは、反射型液晶表示デバイスに外付けされる。そして、その駆動ドライバＩＣから、フレキシブルプリント配線板（ＦＰＣ）を介して表示データが供給される。
【０００５】
画素電極に書き込まれた信号電圧は、次の書き込みまでの1フレーム間（例えば約１６．７ｍｓの間）、画素駆動回路内の補助容量によって保持される。また、液晶に直流電圧を印加することはデバイスの劣化を招くことになるので、液晶へは例えばフレーム毎にプラス／マイナス交互に同じ大きさの電圧を印加している。これらの反射型液晶表示デバイスにおいて、その配向膜としては、有機、あるいは無機材料が用いられる。この反射型液晶表示デバイスおよびこの反射型液晶表示デバイスを用いたプロジェクションシステムは、年々高輝度、高精細、高画質が求められている。
【０００６】
従来、この反射型液晶表示デバイスでは、駆動ドライバＩＣからフレキシブルプリント配線板を経由した表示データを、反射型液晶表示デバイス側でもそのままの配列で伝送して画素電極に書き込んでいた（例えば、特許文献１）。
【０００７】
この従来の表示データの伝送の様子を、点順次駆動方式の反射型液晶表示デバイスを例にとって説明することにする。点順次駆動方式とは、１行のゲート線を走査した状態で、データ線をｎ列ずつ（ｎは１または２以上の整数）順次切り替えて表示データを供給することにより、そのゲート線上の隣り合うｎ個の画素を単位として順次書き込みを行い、最終列のデータ線に達すると、次の行のゲート線を走査して同様な順序で書き込みを繰り返す方式である。
【０００８】
図１は、従来の点順次駆動方式の反射型液晶表示デバイス用の配線構造を示す。反射型液晶表示デバイスの駆動基板７１上に、行方向のゲート線Ｘと列方向のデータ線Ｙとがマトリックス状に配列されており、ゲート線Ｘとデータ線Ｙとの交点位置に画素（画素駆動回路及び画素電極）Ｐが配置されている。
【０００９】
外付けの駆動ドライバＩＣ６１が、反射型液晶表示デバイスとは別の基板６２に搭載されている。そして、この基板６２と、反射型液晶表示デバイスの駆動基板７１とが、フレキシブルプリント配線板（ＦＰＣ）５１によって接続されている。駆動ドライバＩＣ６１の出力端子６１ａ〜６１ｅからは、５画素分ずつの表示データ（信号電圧）Ｄ１〜Ｄ５が出力される。この表示データＤ１〜Ｄ５は、基板６２に形成された５本の信号線６２ａ〜６２ｅによってＦＰＣ５１に伝送され、ＦＰＣ５１内に並列的に配置された５本の信号線５１ａ〜５１ｅを介して駆動基板７１に供給される。
【００１０】
また、図示は省略するが、外付けのタイミング制御回路からも、フレキシブルプリント配線板を介してコントロール信号Ｃが駆動基板７１に供給される。
【００１１】
駆動基板７１に供給された表示データＤ１〜Ｄ５は、駆動基板７１に形成された５本の信号線７１ａ〜７１ｅにより、データ線ドライバ７３に伝送される。この信号線７１ａ〜７１ｅは、並列的に配置されており、ＦＰＣ５１の信号線５１ａ〜５１ｅからの表示データＤ１〜Ｄ５を、そのままの配列で、データ線ドライバ７３に伝送する。データ線ドライバ７３内では、４個の切替スイッチ７４〜７７に、表示データＤ１〜Ｄ５がそれぞれ全て供給される。
【００１２】
また、駆動基板７１に供給されたコントロール信号Ｃは、ゲート線ドライバ７９及びデータ線ドライバ７３に供給される。
【００１３】
ゲート線ドライバ７９は、このコントロール信号Ｃに基づいてゲート線Ｘを走査する。データ線ドライバ７３内では、このコントロール信号Ｃに基づき、切替制御回路７８が切替スイッチ７４〜７７を制御する。
【００１４】
この反射型液晶表示デバイスにおいて、図に矢印で示すように、ゲート線Ｘの走査方向を表示領域の下端から上端向きにし、データ線Ｙの切替方向を表示領域の右端から左端向きにした場合の点順次駆動動作は、次の通りである。
【００１５】
最初に、ゲート線ドライバ７９で最下行のゲート線Ｘを走査するとともに、データ線ドライバ７３内の切替制御回路７８で切替スイッチ７７のみをオンにすることにより、右側の５本のデータ線Ｙに表示データＤ１〜Ｄ５を供給する。これにより、最下行の右側の隣り合う５個の画素Ｐへの書き込みが行われる。
【００１６】
続いて、最下行のゲート線を走査したまま、データ線ドライバ７３内の切替制御回路７８で切替スイッチ７６のみをオンにすることによって中央右寄りの５本のデータ線Ｙに表示データＤ１〜Ｄ５を供給する。これにより、最下行の中央右寄りの隣り合う５個の画素Ｐへの書き込みが行われる。
【００１７】
続いて、最下行のゲート線を走査したまま、データ線ドライバ７３内の切替制御回路７８で切替スイッチ７５のみをオンにすることによって中央左寄りの５本のデータ線Ｙに表示データＤ１〜Ｄ５を供給する。これにより、最下行の中央左寄りの隣り合う５個の画素Ｐへの書き込みが行われる。
【００１８】
続いて、最下行のゲート線を走査したまま、データ線ドライバ７３内の切替制御回路７８で切替スイッチ７４のみをオンにすることによって左側の５本のデータ線Ｙに表示データＤ１〜Ｄ５を供給する。これにより、最下行の左側の隣り合う５個の画素Ｐへの書き込みが行われる。
【００１９】
このようにして最下行の画素への書き込みが完了すると、次に、下から２行目のゲート線を走査して、同様な順序で書き込みを行う。以下、走査するゲート線を１行ずつ上方向に切り替えて、同様な順序で書き込みを繰り返す。
【００２０】
【特許文献１】特開２００５−１８９７５８号公報（段落番号０００８〜００１６，００５２〜００５８、図９，図１等）
【発明の開示】
【発明が解決しようとする課題】
【００２１】
ところで、フレキシブルプリント配線板内の複数本の信号線はそれぞれインダクタンス成分を持っており、駆動ドライバＩＣから流れる電流が流れることによってそれぞれ逆起電力が発生する。フレキシブルプリント配線板の長さが数十mm以上になってくると、このインダクタンス成分の影響は無視できないほど大きくなる。
【００２２】
リジッドタイプの多層基板の場合には、一般に、１つの層全体をグランド層（信号用の接地、すなわち電流の帰路）として用いることにより、各信号線のインダクタンス成分の影響を一様に低減している。
【００２３】
しかし、フレキシブルプリント配線板の場合には、一般に信号用の接地としてのグランド線の本数が限られており、例えば両端に２本だけ設けられていたり、あるいは両端及び中央に３本だけ設けられている。そのため、各信号線のインダクタンス成分の影響がグランド線に対する位置によって異なり、隣り合う信号線同士でこの影響の大きさが徐々に変化していくという特徴を持つ。
【００２４】
図２（ａ）は、図１のＦＰＣ５１には両端に２本だけグランド線が設けられているとした場合の、各信号線５１ａ〜５１ｅのインダクタンス成分の影響の大きさの分布を示している。端に近い信号線５１ａ→信号線５１ｂ→中央の信号線５１ｃの順に徐々にインダクタンス成分の影響が大きくなり、信号線５１ｃ→信号線５１ｄ→端に近い信号線５１ｅの順に徐々にインダクタンス成分の影響が小さくなるという、１つの山の形をした分布となる。
【００２５】
こうしたＦＰＣ５１内のインダクタンス成分の影響のバラつきにより、反射型液晶表示デバイスの隣り合う５個の画素Ｐ１〜Ｐ５に供給される表示データＤ１〜Ｄ５は、図２（ｂ）に示すように、左端の画素Ｐ１に供給される表示データＤ１→左から２番目の画素Ｐ２に供給される表示データＤ２→中央の画素Ｐ３に供給される表示データＤ３の順に徐々に電圧レベルが増大し、画素Ｐ３に供給される表示データＤ３→右端から２番目の画素Ｐ４に供給される表示データＤ４→右端の画素Ｐ５に供給される表示データＤ５の順に徐々に電圧レベルが減少するという、１つの山の形をした分布となる。
【００２６】
アナログ駆動方式の反射型液晶表示デバイスでは、この表示データのレベル変動がそのまま輝度の変動につながる。そのため、この反射型液晶表示デバイスには、図３に示すように、５画素分の横幅を１つの山として明暗を繰り返す縦縞状の輝度ムラパターンが現れるようになる。
【００２７】
図１では、図示の都合上、５個の画素を単位として書き込みを行う例を示したが、実際の点順次駆動方式の反射型液晶表示デバイスでは、それよりも多く、例えば隣り合う２４個の画素を単位として書き込みが行われる。そのため、２４画素分横幅を１つの山とする、空間的周期の長い（空間周波数の低い）輝度ムラパターンが現れることになる。このような空間周波数の低い輝度ムラは、人間の目で目視されてしまう。
【００２８】
近年、反射型液晶表示デバイスの素子の微細化，高集積化により、表示データの周波数が上昇したり、フレキシブルプリント配線板内の信号線の間隔が狭小化しているため、こうしたフレキシブルプリント配線板内のインダクタンス成分の影響のバラつきが無視できないレベルになっており、画質の劣化の要因となっている。この現象は、駆動ドライバＩＣの電流駆動能力が低い場合や、フレキシブルプリント配線板が長い場合に顕著である。駆動ドライバＩＣの電流駆動能力を上げることは、コストの面から望ましくない。また、駆動ドライバＩＣの高性能化により、反射型液晶表示デバイスの駆動基板におけるフレキシブルプリント配線板との接続用のコネクタの取付け位置にも制限が生じており、そのためフレキシブルプリント配線板の配線長を短くすることも非常に難しくなってきている。
【００２９】
なお、こうしたインダクタンス成分の影響のバラつきに起因する輝度ムラの問題は、反射型液晶表示デバイスだけでなく、アナログ駆動方式の表示デバイス（液晶表示デバイス，電界電子放出型ディスプレイ表示デバイス（ＦＥＤ），有機ＥＬ表示デバイス，無機ＥＬ表示デバイス等）にとって共通の問題である。さらに、デジタル駆動方式の表示デバイスであっても、ＰＡＭ（パルス振幅変調）された表示データが供給される表示デバイスの場合には、表示データのレベル変動が輝度の変動につながるのでやはり問題になる。
【００３０】
また、こうしたインダクタンス成分の影響のバラつきは、複数本の信号線が並列的に配置された配線材であれば、フレキシブルプリント配線板以外のもの（例えばフレキシブルフラットケーブル（ＦＦＣ））でも発生する。
【００３１】
本発明は、上述の点に鑑み、駆動ドライバから、複数本の信号線を並列的に配置した配線材を介して表示デバイスに表示データを供給する場合に、駆動ドライバの電流駆動能力を変えたり、この配線材の長さを短くしたりすることなく、この配線材内のインダクタンス成分の影響のバラつきによる輝度ムラを目視しにくく、または目視することができない程度にまで低減することを課題とする。
【課題を解決するための手段】
【００３２】
この課題を解決するために、本発明は、駆動ドライバから、複数本の信号線を並列的に配置した配線材を介して表示データが供給され、この表示データのレベルに応じた輝度の映像を表示する表示デバイス用の配線構造において、この配線材を経由した後の表示データを伝送する信号線の配列を、この配線材内のインダクタンス成分の影響が相対的に大きい信号線を経由した表示データとインダクタンス成分の影響が相対的に小さい信号線を経由した表示データとが表示デバイスの隣り合う画素または画素群に互い違いに供給されるように入れ替えたことを特徴とする。
【００３３】
この配線構造では、配線材内のインダクタンス成分の影響が相対的に大きい信号線を経由した表示データと、配線材内のインダクタンス成分の影響が相対的に小さい信号線を経由した表示データとが、表示デバイスの隣り合う画素または画素群に互い違いに供給されるように、配線材を経由した後の表示データを伝送する複数本の信号線の配列が入れ替えられる。
【００３４】
したがって、表示デバイスの隣り合う複数の画素または隣り合う複数の画素群に供給される表示データ（信号電圧）は、図２（ｂ）に示したような電圧レベルが徐々に変化する分布ではなく、１画素毎または１つの画素群毎に電圧レベルの増加と減少とを互い違いに繰り返す分布となる。
【００３５】
その結果、この表示データが供給される複数の画素では、図３に示したようなこの複数の画素全体の横幅を１つの山とする輝度ムラパターンではなく、１画素毎または１つの画素群毎に輝度の明暗を繰り返す輝度ムラパターンが現れるようになる。すなわち、輝度ムラの空間周波数が、人間の目で目視しにくく、または目視することができない程度にまで高くなる。
【００３６】
これにより、駆動ドライバの電流駆動能力を変えたり、配線材の長さを短くしたりすることなく、配線材内のインダクタンス成分の影響のバラつきによる輝度ムラを、人間の目で目視しにくく、または目視することができない程度にまで低減することができる。
【００３７】
次に、本発明は、光源からの射出光を光変調デバイスに照射し、表示データに応じて前記光変調デバイスで変調された光を投射する投射型表示装置において、この光変調デバイスは、駆動ドライバから、複数本の信号線を並列的に配置した配線材を介して表示データが供給され、この表示データのレベルに応じた輝度の映像を表示する表示デバイスであり、この光変調デバイス内か、この光変調デバイスとこの配線材との間かのいずれかにおいて、この表示データを伝送する信号線の配列を、この配線材内のインダクタンス成分の影響が相対的に大きい信号線を経由した表示データとインダクタンス成分の影響が相対的に小さい信号線を経由した表示データとがこの光変調デバイスの隣り合う画素または画素群に互い違いに供給されるように入れ替えたことを特徴とする。
【００３８】
この投射型表示装置は、光変調デバイスに表示データを供給するために前述の本発明に係る配線構造を採用したものであり、駆動ドライバの電流駆動能力を変えたり、配線材の長さを短くしたりすることなく、配線材内のインダクタンス成分の影響のバラつきによって投影画面に現れる輝度ムラを、人間の目で目視しにくく、または目視することができない程度にまで低減することができる。
【発明の効果】
【００３９】
本発明によれば、表示データのレベルに応じた輝度の映像を表示する表示デバイスに、複数本の信号線を並列的に配置した配線材を介して表示データを供給する場合に、駆動ドライバの電流駆動能力を変えたり、この配線材の長さを短くしたりすることなく、この配線材内のインダクタンス成分の影響のバラつきによる輝度ムラを目視しにくく、または目視することができない程度にまで低減することができるという効果が得られる。
【発明を実施するための最良の形態】
【００４０】
以下、点順次駆動方式の反射型液晶表示デバイスに本発明を適用した例について、図面を用いて具体的に説明する。
【００４１】
図４は、本発明を適用した点順次駆動方式の反射型液晶表示デバイス用の配線構造の一例を示す図である。この図において、駆動ドライバＩＣ６１及びフレキシブルプリント配線板（ＦＰＣ）５１は、図４に示した駆動ドライバＩＣ６１及びＦＰＣ５１と同一構成のものである。また、ＦＰＣ５１には、両端に２本だけグランド線（信号用の接地）が設けられている。
【００４２】
反射型液晶表示デバイスの、シリコン基板から成る駆動基板１上に、行方向のゲート線Ｘと列方向のデータ線Ｙとがマトリックス状に配列されており、ゲート線Ｘとデータ線Ｙとの交点位置に画素（画素駆動回路及び画素電極）Ｐが配置されている。
【００４３】
外付けの駆動ドライバＩＣ６１が、反射型液晶表示デバイスとは別の基板３１に搭載されている。そして、この基板３１と、反射型液晶表示デバイスの駆動基板１とが、フレキシブルプリント配線板（ＦＰＣ）５１によって接続されている。駆動ドライバＩＣ６１の出力端子６１ａ〜６１ｅからは、５画素分ずつの表示データ（信号電圧）Ｄ１〜Ｄ５が出力される。
【００４４】
基板３１には、この表示データＤ１〜Ｄ５をＦＰＣ５１に伝送するための５本の信号線３１ａ〜３１ｅが形成されている。この信号線３１ａ〜３１ｅは、駆動ドライバＩＣ６１に接続される側では左から信号線３１ａ〜３１ｅの順に配列されているが、ＦＰＣ５１に接続される側では、以下のように配列が入れ替えられている。
・信号線３１ａが、ＦＰＣ５１内の信号線５１ｄに接続される。
・信号線３１ｂが、ＦＰＣ５１内の信号線５１ａに接続される。
・信号線３１ｃが、ＦＰＣ５１内の信号線５１ｃに接続される。
・信号線３１ｄが、ＦＰＣ５１内の信号線５１ｅに接続される。
・信号線３１ｅが、ＦＰＣ５１内の信号線５１ｂに接続される。
【００４５】
このような信号線３１ａ〜３１ｅの配列の入れ替えは、基板３１として例えば多層基板を用いれば、容易に実現することができる。
【００４６】
この信号線３１ａ〜３１ｅの配列の入れ替えにより、駆動ドライバＩＣ６１から出力された表示データＤ１〜Ｄ５のうち、表示データＤ１は、ＦＰＣ５１内の信号線５１ｄを介して駆動基板１に供給される。また、表示データＤ２は、ＦＰＣ５１内の信号線５１ａを介して駆動基板１に供給される。また、表示データＤ３は、ＦＰＣ５１内の信号線５１ｃを介して駆動基板１に供給される。また、表示データＤ４は、ＦＰＣ５１内の信号線５１ｅを介して駆動基板１に供給される。また、表示データＤ５は、ＦＰＣ５１内の信号線５１ｂを介して駆動基板１に供給される。
【００４７】
また、図示は省略するが、外付けのタイミング制御回路からも、フレキシブルプリント配線板を介してコントロール信号Ｃが駆動基板１に供給される。
【００４８】
駆動基板１には、ＦＰＣ５１を経由した表示データをデータ線ドライバ３に伝送するための５本の信号線２ａ〜２ｅが形成されている。この信号線２ａ〜２ｅは、ＦＰＣ５１に接続される側では、データ線ドライバ３から見て左から信号線２ａ，２ｂ，２ｃ，２ｄ，２ｅの順に（すなわちそれぞれ信号線５１ａ，５１ｂ，５１ｃ，５１ｄ，５１ｅに接続するように）配列されているが、データ線ドライバ３に接続される側では、データ線ドライバ３から見て以下のように配列が入れ替えられている。
・信号線２ａが、左端の位置から、左から２番目の位置に入れ替わる。
・信号線２ｂが、左から２番目の位置から、右端の位置に入れ替わる。
・信号線２ｃは、左から３番目（中央）の位置を維持する。
・信号線２ｄが、左から４番目の位置から、左端の位置に入れ替わる。
・信号線２ｅが、右端の位置から、左から４番目の位置に入れ替わる。
【００４９】
図５は、駆動基板１における信号線２ａ〜２ｅの具体的な形成例を示す図であり、駆動基板１を下側（図４の側を表側として、裏側）からみた図である。駆動基板１を構成しているシリコン基板にはＣ−ＭＯＳプロセスによって複数のメタル層を形成しており、そのうちの１つのメタル層（第１メタル層と呼ぶ）が信号線２ａ〜２ｅの層になっている。
【００５０】
但し、図４における信号線２ａ〜２ｅ同士の交差箇所では、信号線２ａが、コンタクト層を介して、第１メタル層よりも下側のメタル層（第２メタル層と呼ぶ）に、信号線２ｄをまたぐようにして形成されている。また、信号線２ｂが、信号線２ｃ，２ｄ及び２ｅをまたぐようにして、コンタクト層を介して第２メタル層に形成されている。また、信号線２ｃが、信号線２ｄをまたぐようにして、コンタクト層を介して第２メタル層に形成されている。このようにして、駆動基板１を製造するＣ−ＭＯＳプロセスの一貫として、信号線２ａ〜２ｅの配列の入れ替えが実現されている。
【００５１】
この信号線２ａ〜２ｅの配列の入れ替えにより、ＦＰＣ５１内の信号線５１ａを経由した表示データＤ２は、隣り合う５個の画素のうちの左から２番目の画素に書き込むべき表示データとしてデータ線ドライバ３に伝送される。また、ＦＰＣ５１内の信号線５１ｂを経由した表示データＤ５は、隣り合う５個の画素Ｐのうちの右端の画素に書き込むべき表示データとしてデータ線ドライバ３に伝送される。また、ＦＰＣ５１内の信号線５１ｃを経由した表示データＤ３は、隣り合う５個の画素Ｐのうちの中央の画素に書き込むべき表示データとしてデータ線ドライバ３に伝送される。また、ＦＰＣ５１内の信号線５１ｄを経由した表示データＤ１は、隣り合う５個の画素のうちの左端の画素に書き込むべき表示データとしてデータ線ドライバ３に伝送される。また、ＦＰＣ５１内の信号線５１ｅを経由した表示データＤ４は、隣り合う５個の画素Ｐのうちの左から４番目の画素に書き込むべき表示データとしてデータ線ドライバ３に伝送される。
【００５２】
データ線ドライバ３内では、４個の切替スイッチ４〜７に、この表示データＤ１〜Ｄ５がそれぞれ全て供給される。
【００５３】
また、駆動基板１に供給されたコントロール信号Ｃは、ゲート線ドライバ９及びデータ線ドライバ３に供給される。ゲート線ドライバ９は、このコントロール信号Ｃに基づいてゲート線Ｘを走査する。データ線ドライバ３内では、このコントロール信号Ｃに基づき、切替制御回路８が切替スイッチ４〜７を制御する。
【００５４】
この反射型液晶表示デバイスにおいて、図に矢印で示すように、ゲート線Ｘの走査方向を表示領域の下端から上端向きにし、データ線Ｙの切替方向を表示領域の右端から左端向きにした場合の点順次駆動動作は、次の通りである。
【００５５】
最初に、ゲート線ドライバ９で最下行のゲート線Ｘを走査するとともに、データ線ドライバ３内の切替制御回路８で切替スイッチ７のみをオンにすることにより、右側の５本のデータ線Ｙに表示データＤ１〜Ｄ５を供給する。これにより、最下行の右側の隣り合う５個の画素Ｐへの書き込みが行われる。
【００５６】
続いて、最下行のゲート線を走査したまま、データ線ドライバ３内の切替制御回路８で切替スイッチ６のみをオンにすることによって中央右寄りの５本のデータ線Ｙに表示データＤ１〜Ｄ５を供給する。これにより、最下行の中央右寄りの隣り合う５個の画素Ｐへの書き込みが行われる。
【００５７】
続いて、最下行のゲート線を走査したまま、データ線ドライバ３内の切替制御回路８で切替スイッチ５のみをオンにすることによって中央左寄りの５本のデータ線Ｙに表示データＤ１〜Ｄ５を供給する。これにより、最下行の中央左寄りの隣り合う５個の画素Ｐへの書き込みが行われる。
【００５８】
続いて、最下行のゲート線を走査したまま、データ線ドライバ３内の切替制御回路８で切替スイッチ４のみをオンにすることによって左側の５本のデータ線Ｙに表示データＤ１〜Ｄ５を供給する。これにより、最下行の左側の隣り合う５個の画素Ｐへの書き込みが行われる。
【００５９】
このようにして最下行の画素への書き込みが完了すると、次に、下から２行目のゲート線を走査して、同様な順序で書き込みを行う。以下、走査するゲート線を１行ずつ上方向に切り替えて、同様な順序で書き込みを繰り返す。
【００６０】
次に、ＦＰＣ５１内のインダクタンス成分の影響のバラつきによってこの反射型液晶表示デバイスに現れる輝度ムラについて説明する。図６（ａ）は、ＦＰＣ５１内の各信号線５１ａ〜５１ｅのインダクタンス成分の影響の大きさの分布を示す。ＦＰＣ５１には両端に２本だけグランド線（信号用の接地）が設けられているので、端に近い信号線５１ａ→信号線５１ｂ→中央の信号線５１ｃの順に徐々にインダクタンス成分の影響が大きくなり、信号線５１ｃ→信号線５１ｄ→端に近い信号線５１ｅの順に徐々にインダクタンス成分の影響が小さくなるという、１つの山の形をした分布となる。この分布は、図２（ａ）に示したのと同じである。
【００６１】
しかし、この反射型液晶表示デバイスの駆動基板１内では、表示データを伝送する信号線２ａ〜２ｅの配列が前述のように入れ替えられていることから、隣り合う５個の画素のうち、左端の画素には、ＦＰＣ５１内の信号線５１ｄを経由した表示データＤ１が供給される。また、左から２番目の画素には、ＦＰＣ５１内の信号線５１ａ（信号線５１ｄよりもインダクタンス成分の影響が小さい信号線）を経由した表示データＤ２が供給される。また、中央の画素の画素には、ＦＰＣ５１内の信号線５１ｃ（信号線５１ａよりもインダクタンス成分の影響が大きい信号線）を経由した表示データＤ３が供給される。また、左から４番目の画素には、ＦＰＣ５１内の信号線５１ｅ（信号線５１ｃよりもインダクタンス成分の影響が小さい信号線）を経由した表示データＤ４が供給される。また、右端の画素には、ＦＰＣ５１内の信号線５１ｂ（信号線５１ｅよりもインダクタンス成分の影響が大きい信号線）を経由した表示データＤ５が供給される。
【００６２】
このようにして、この反射型液晶表示デバイスでは、ＦＰＣ５１内のインダクタンス成分の影響が相対的に大きい信号線を経由した表示データと、インダクタンス成分の影響が相対的に小さい信号線を経由した表示データとが、隣り合う５個の画素に互い違いに供給される。
【００６３】
したがって、隣り合う５個の画素Ｐ１〜Ｐ５に供給される表示データＤ１〜Ｄ５は、図６（ｂ）に示すように、左端の画素Ｐ１に供給される表示データＤ１よりも、左から２番目の画素Ｐ２に供給される表示データＤ２の電圧レベルが低く、この表示データＤ２よりも、中央の画素Ｐ３に供給される表示データＤ３の電圧レベルが高く、この表示データＤ３よりも、左から４番目の画素Ｐ４に供給される表示データＤ４の電圧レベルが低く、この表示データＤ４よりも、右端の画素Ｐ５に供給される表示データＤ５の電圧レベルが高くなる、という分布になる。すなわち、図２（ｂ）に示したような電圧レベルが徐々に変化する分布ではなく、１画素毎に電圧レベルの増加と減少とを互い違いに繰り返す分布となる。
【００６４】
その結果、この反射型液晶表示デバイスでは、図３に示したような５画素分の横幅を１つの山とする輝度ムラパターンではなく、図７に示すように、１画素毎に輝度の明暗を繰り返す輝度ムラパターンが現れるようになる。すなわち、輝度ムラの空間周波数が、人間の目で目視しにくく、または目視することができない程度にまで高くなる。
【００６５】
これにより、駆動ドライバＩＣ６１の電流駆動能力を変えたり、ＦＰＣ５１の長さを短くしたりすることなく、ＦＰＣ５１内のインダクタンス成分の影響のバラつきによる輝度ムラを、人間の目で目視しにくく、または目視することができない程度にまで低減することができる。
【００６６】
図４では、図示の都合上、５個の画素を単位として書き込みを行う例を示したが、実際の点順次駆動方式の反射型液晶表示デバイスでは、それよりも多く、例えば隣り合う２４個の画素を単位として書き込みが行われる。その場合には、本発明により、２４画素分の横幅を１つの山とする輝度ムラパターンの代わりに、１画素毎に輝度の明暗を繰り返す輝度ムラパターンが現れるようになる。したがって、輝度ムラパターンの空間周波数が高くなる度合いが一層大きくなるので、画質改善の効果が一層大きいものになる。
【００６７】
さらに、駆動ドライバＩＣの電流駆動能力を上げずに輝度ムラが改善できるため、比較的安価な駆動ドライバＩＣを使うことが可能となる。また、フレキシブルプリント配線板の長さを変えずに輝度ムラを改善できるため、フレキシブルプリント配線板の長さを維持したまま設計の自由度を上げることができる。もしくは、駆動ドライバＩＣの能力が充分であれば、フレキシブルプリント配線板の長さをさらに長くすることもできる。
【００６８】
そして、駆動ドライバＩＣ６１を搭載した基板３１内では、駆動基板１内で信号線２ａ〜２ｅの配列の入れ替えを行わなかった場合と同じ表示データが反射型液晶表示デバイスの各画素に供給されるように（図６に示したように、図３に示したのと同じく、左端の画素Ｐ１は表示データＤ１が供給され、左から２番目の画素Ｐ２には表示データＤ２が供給され、中央の画素Ｐ３には表示データＤ３が供給され、左から４番目の画素Ｐ４には表示データＤ４が供給され、右端の画素Ｐ５には表示データＤ５が供給されるように）、ＦＰＣ５１に表示データＤ１〜Ｄ５を伝送する５本の信号線３１ａ〜３１ｅの配列を入れ替えている。
【００６９】
これにより、駆動ドライバＩＣ６１自体からの表示データＤ１〜Ｄ５の出力の仕方に変更を加えることなく（従来どおり、出力端子６１ａからは左端の画素用の表示データＤ１を出力し、出力端子６１ｂからは左から２番目の画素用の表示データＤ２を出力し、出力端子６１ｃからは中央の画素用の表示データＤ３を出力し、出力端子６１ｄからは左から４番目の画素用の表示データＤ４を出力し、出力端子６１ｅからは右端の画素用の表示データＤ５を出力したまま）、反射型液晶表示デバイスの各画素に、その画素位置に合った表示データを供給することができる。
【００７０】
次に、図８は、本発明を適用した液晶プロジェクターの光学系の構成例を示す図である。この液晶プロジェクターでは、光源である放電ランプ４１から放射した光が、リフレクタ４２で平行光にされ、集光レンズ４３を経て、青色光を反射するダイクロイックミラー４４に入射する。ダイクロイックミラー４４を透過した赤色光及び緑色光は、ミラー４５で反射され、緑色光を反射するダイクロイックミラー４６に入射する。
【００７１】
ダイクロイックミラー４６を透過した赤色光，ダイクロイックミラー４６で反射された緑色光，ダイクロイックミラー４４で反射された青色光は、それぞれ偏光ビームスプリッタ４７（Ｒ）,４７（Ｇ）,４７（Ｂ）に入射する。そして、それらの青色光, 緑色光, 赤色光のうちのそれぞれ特定の直線偏光（Ｐ偏光, Ｓ偏光のうちのいずれか一方）が、偏光ビームスプリッタ４７（Ｒ）, ４７（Ｇ）,４７（Ｂ）を経て、点順次駆動方式の反射型液晶表示デバイス４８（Ｒ）,４８（Ｇ）,４８（Ｂ）に入射する。
【００７２】
図示は省略するが、反射型液晶表示デバイス４８（Ｒ）,４８（Ｇ）,４８（Ｂ）の駆動基板には、それぞれ図４の駆動基板１と全く同様にして、外付けの駆動ドライバＩＣからフレキシブルプリント配線板を介してＲ，Ｇ，Ｂの表示データが供給される。反射型液晶表示デバイス４８（Ｒ）,４８（Ｇ）,４８（Ｂ）の駆動基板は、図４の駆動基板１と同じ構成のものである。また、駆動ドライバＩＣを搭載した基板にも、フレキシブルプリント配線板に表示データを伝送するための信号線として、図４の信号線３１ａ〜３１ｅと同じ配線構造の信号線が設けられている。
【００７３】
反射型液晶表示デバイス４８（Ｒ）,４８（Ｇ）,４８（Ｂ）への入射光は、それぞれＲ，Ｇ，Ｂの表示データに応じて変調され、反射型液晶表示デバイス４８（Ｒ）,４８（Ｇ）,４８（Ｂ）で反射される。反射型液晶表示デバイス４８（Ｒ）,４８（Ｇ）,４８（Ｂ）からの反射光のうちの特定の直線偏光は、それぞれ偏光ビームスプリッタ４７（Ｒ）, ４７（Ｇ）,４７（Ｂ）を経てダイクロイック４９で合成され、投射レンズ５０からスクリーン（図示略）に投射される。
【００７４】
この液晶プロジェクターでは、駆動ドライバＩＣの電流駆動能力を変えたり、フレキシブルプリント配線板の長さを短くしたりすることなく、投影画面上で、フレキシブルプリント配線板内のインダクタンス成分の影響のバラつきによってスクリーンの投影画面に現れる輝度ムラを、人間の目で目視しにくく、または目視することができない程度にまで低減することができる。
【００７５】
なお、図４に示した駆動基板１の配線構造は、グランド線（信号用の接地）が両端に２本だけ設けられたＦＰＣ５１を用いることを前提としている。しかし、グランド線の本数や位置がこれとは異なるフレキシブルプリント配線板を用いる場合にも、駆動基板１内において、表示データを伝送する信号線の配列を、そのフレキシブルプリント配線板内のインダクタンス成分の影響が相対的に大きい信号線を経由した表示データとインダクタンス成分の影響が相対的に小さい信号線を経由した表示データとが隣り合う画素に互い違いに供給されるように入れ替えることにより、やはり、そのフレキシブルプリント配線板内のインダクタンス成分の影響のバラつきによる輝度ムラを目視しにくくまたは目視することができない程度にまで低減することができる。
【００７６】
図９は、隣り合う１０個の画素を単位として書き込みを行うために、１０本の信号線５２ａ〜５２ｊを配置するとともに両端及び中央（信号線５２ｅと信号線５２ｆとの間）（破線で示した位置）に３本のグランド線を設けたフレキシブルプリント配線板（ＦＰＣ）５２を用いる場合の、駆動基板１の配線構造の例を示す。駆動基板１には、ＦＰＣ５２を経由した表示データをデータ線ドライバ３（ここでは、データ線ドライバ３には、図４の切替スイッチ４〜７のように５本ずつのデータ線Ｙに表示データを供給する切替スイッチではなく、１０本ずつのデータ線Ｙに表示データを供給する切替スイッチが設けられる）に伝送するための１０本の信号線２ａ〜２ｊが形成されている。
【００７７】
この信号線２ａ〜２ｊは、ＦＰＣ５２に接続される側ではデータ線ドライバ３から見て左から信号線２ａ，２ｂ，２ｃ，２ｄ，２ｅ，２ｆ，２ｇ，２ｈ，２ｉ，２ｊの順に（すなわちそれぞれ信号線５２ａ，５２ｂ，５２ｃ，５２ｄ，５２ｅ，５２ｆ，５２ｇ，５２ｈ，５２ｉ，５２ｊに接続するように）に配列されているが、データ線ドライバ３に接続される側では、データ線ドライバ３から見て以下のように配列が入れ替えられている。
・信号線２ａが、左端の位置から、左から２番目の位置に入れ替わる。
・信号線２ｂが、左から２番目の位置から、左から３番目の位置に入れ替わる。
・信号線２ｃは、左から３番目の位置から、左端の位置に入れ替わる。
・信号線２ｄが、左から４番目の位置から、左から５番目の位置に入れ替わる。
・信号線２ｅが、左から５番目の位置から、左から４番目の位置に入れ替わる。
・信号線２ｆが、左から６番目の位置を維持する。
・信号線２ｇが、左から７番目の位置を維持する。
・信号線２ｈが、左から８番目の位置から、左から９番目の位置に入れ替わる。
・信号線２ｉが、左から９番目の位置から、右端の位置に入れ替わる。
・信号線２ｊが、右端の位置から、左から８番目の位置に入れ替わる。
【００７８】
図１０（ａ）は、ＦＰＣ５２内の各信号線５２ａ〜５２ｊのインダクタンス成分の影響の大きさの分布を示す。ＦＰＣ５２には両端及び中央に３本のグランド線が設けられているので、端に近い信号線５２ａ→信号線５２ｂ→信号線５２ｃの順に徐々にインダクタンス成分の影響が大きくなり、信号線５２ｃ→信号線５２ｄ→中央に近い信号線５２ｅの順に徐々にインダクタンス成分の影響が小さくなり、中央に近い信号線５２ｆ→信号線５２ｇ→信号線５２ｈの順に徐々にインダクタンス成分の影響が大きくなり、信号線５２ｈ→信号線５２ｉ→端に近い信号線５２ｊの順に徐々にインダクタンス成分の影響が小さくなるという、２つの山の形をした分布となる。
【００７９】
しかし、駆動基板１内では、表示データを伝送する信号線２ａ〜２ｈの配列が前述のように入れ替えられていることから、隣り合う１０個の画素のうち、左端の画素には、ＦＰＣ５２内の信号線５２ｃを経由した表示データが供給される。また、左から２番目の画素には、ＦＰＣ５２内の信号線５２ａ（信号線５２ｃよりもインダクタンス成分の影響が小さい信号線）を経由した表示データが供給される。また、左から３番目の画素には、ＦＰＣ５２内の信号線５２ｂ（信号線５２ａよりもインダクタンス成分の影響が大きい信号線）を経由した表示データが供給される。また、左から４番目の画素には、ＦＰＣ５２内の信号線５２ｅ（信号線５２ｂよりもインダクタンス成分の影響が小さい信号線）を経由した表示データが供給される。また、左から５番目の画素には、ＦＰＣ５２内の信号線５２ｄ（信号線５２ｅよりもインダクタンス成分の影響が大きい信号線）を経由した表示データが供給される。
【００８０】
また、左から６番目の画素には、ＦＰＣ５２内の信号線５２ｆ（信号線５２ｄよりもインダクタンス成分の影響が小さい信号線）を経由した表示データが供給される。また、左から７番目の画素には、ＦＰＣ５２内の信号線５２ｇ（信号線５２ｆよりもインダクタンス成分の影響が大きい信号線）を経由した表示データが供給される。また、左から８番目の画素には、ＦＰＣ５２内の信号線５２ｊ（信号線５２ｇよりもインダクタンス成分の影響が小さい信号線）を経由した表示データが供給される。また、左から９番目の画素には、ＦＰＣ５２内の信号線５２ｈ（信号線５２ｊよりもインダクタンス成分の影響が大きい信号線）を経由した表示データが供給される。また、右端の画素には、ＦＰＣ５２内の信号線５２ｉ（信号線５２ｈよりもインダクタンス成分の影響が小さい信号線）を経由した表示データが供給される。
【００８１】
このようにして、ＦＰＣ５２内のインダクタンス成分の影響が相対的に大きい信号線を経由した表示データと、インダクタンス成分の影響が相対的に小さい信号線を経由した表示データとが、隣り合う１０個の画素に互い違いに供給される。
【００８２】
したがって、隣り合う１０個の画素Ｐ１〜Ｐ１０に供給される表示データは、図１０（ｂ）に示すように、左端の画素Ｐ１に供給される表示データよりも、左から２番目の画素Ｐ２に供給される表示データの電圧レベルが低く、この画素Ｐ２に供給される表示データよりも、左から３番目の画素Ｐ３に供給される表示データの電圧レベルが高く、この画素Ｐ３に供給される表示データよりも、左から４番目の画素Ｐ４に供給される表示データの電圧レベルが低く、この画素Ｐ４に供給される表示データよりも、左から５番目の画素Ｐ５に供給される表示データの電圧レベルが高く、この画素Ｐ５に供給される表示データよりも、左から６番目の画素Ｐ６に供給される表示データの電圧レベルが低く、この画素Ｐ６に供給される表示データよりも、左から７番目の画素Ｐ７に供給される表示データの電圧レベルが高く、この画素Ｐ７に供給される表示データよりも、左から８番目の画素Ｐ８に供給される表示データの電圧レベルが低く、この画素Ｐ８に供給される表示データよりも、左から９番目の画素Ｐ９に供給される表示データの電圧レベルが高く、この画素Ｐ９に供給される表示データよりも、右端の画素Ｐ１０に供給される表示データの電圧レベルが低くなる、という分布になる。すなわち、図５（ｂ）に示したのと同様にして、１画素毎に電圧レベルの増加と減少とを互い違いに繰り返す分布となる。
【００８３】
その結果、この１０個の画素Ｐ１〜Ｐ１０では、図５（ｃ）に示したのと同様にして、１画素毎に輝度の明暗を繰り返す輝度ムラパターンが現れるようになる。これにより、やはり、ＦＰＣ５２内のインダクタンス成分の影響のバラつきによる輝度ムラを、人間の目で目視しにくく、または目視することができない程度にまで低減することができる。
【００８４】
また、図４の例では、反射型液晶表示デバイスの駆動基板１内で、表示データを伝送する信号線２ａ〜２ｅの配列を入れ替えている。しかし、別の例として、駆動基板１とＦＰＣ５１との間に基板（例えば多層基板）を介在させ、信号線２ａ〜２ｅの代わりに、この基板内で表示データを伝送する複数の信号線の配列を入れ替えるようにしてもよい。
【００８５】
また、図４の例では、駆動ドライバＩＣ６１を搭載した基板３１内で表示データＤ１〜Ｄ５を伝送する信号線３１ａ〜３１ｅの配列を入れ替えている。しかし、別の例として、信号線３１ａ〜３１ｅの配列を入れ替えることなく、駆動ドライバＩＣ６１自体からの表示データＤ１〜Ｄ５の出力の仕方を、出力端子６１ａからは左から２番目の画素用の表示データＤ２を出力し、出力端子６１ｂからは右端の画素用の表示データＤ５を出力し、出力端子６１ｃからは中央の画素用の表示データＤ３を出力し、出力端子６１ｄからは左端の画素用の表示データＤ１を出力し、出力端子６１ｅからは左から４番目の画素用の表示データＤ４を出力するように変更してもよい。それにより、やはり、反射型液晶表示デバイスの各画素に、その画素位置に合った表示データを供給することができる。
【００８６】
あるいはまた、例えば全ての画素に同じ輝度レベルの表示データを供給するような場合には、信号線３１ａ〜３１ｅの配列を入れ替えたり、駆動ドライバＩＣ６１からの表示データＤ１〜Ｄ５の出力の仕方を変更したりすることなく、信号線２ａ〜２ｅの配列の入れ替えのみを行うようにしてもよい。
【００８７】
また、図４や図９の例では、ＦＰＣ内のインダクタンス成分の影響が相対的に大きい信号線を経由した表示データとインダクタンス成分の影響が相対的に小さい信号線を経由した表示データとが隣り合う画素（１個ずつの画素）に互い違いに供給されるように、駆動基板内の表示データ伝送用の信号線の配列を入れ替えている。しかし、このように「隣り合う画素」に限るのではなく、２個以上の画素を画素群として、ＦＰＣ内のインダクタンス成分の影響が相対的に大きい信号線を経由した表示データとインダクタンス成分の影響が相対的に小さい信号線を経由した表示データとが隣り合う画素群に互い違いに供給されるように、駆動基板内の表示データ伝送用の信号線の配列を入れ替えるようにしてもよい。
【００８８】
そのようにした場合にも、表示データが供給される複数の画素では、書き込み単位の複数の画素全体の横幅を１つの山とする輝度ムラパターンではなく、１つの画素群毎に輝度の明暗を繰り返す輝度ムラパターンが現れるようになる。すなわち、輝度ムラの空間周波数が、人間の目で目視しにくく、または目視することができない程度にまで高くなる。
【００８９】
これにより、やはり、駆動ドライバの電流駆動能力を変えたり、配線材の長さを短くしたりすることなく、配線材内のインダクタンス成分の影響のバラつきによる輝度ムラを、人間の目で目視しにくく、または目視することができない程度にまで低減することができる。
【００９０】
図１１は、２個の画素をこうした画素群とした例を示す図（隣り合う１０個の画素を単位として書き込みを行うために、１０本の信号線５３ａ〜５３ｊを配置するとともに両端に２本だけグランド線を設けたフレキシブルプリント配線板（ＦＰＣ）５３を用いた場合についての図）である。駆動基板１には、ＦＰＣ５３を経由した表示データをデータ線ドライバ３（ここでは、データ線ドライバ３には、図４の切替スイッチ４〜７のように５本ずつのデータ線Ｙに表示データを供給する切替スイッチではなく、１０本ずつのデータ線Ｙに表示データを供給する切替スイッチが設けられる）に伝送するための１０本の信号線２ａ〜２ｊが形成されている。
【００９１】
この信号線２ａ〜２ｊは、ＦＰＣ５３に接続される側ではデータ線ドライバ３から見て左から信号線２ａ，２ｂ，２ｃ，２ｄ，２ｅ，２ｆ，２ｇ，２ｈ，２ｉ，２ｊの順に（すなわちそれぞれ信号線５３ａ，５３ｂ，５３ｃ，５３ｄ，５３ｅ，５３ｆ，５３ｇ，５３ｈ，５３ｉ，５３ｊに接続するように）に配列されているが、データ線ドライバ３に接続される側では、データ線ドライバ３から見て以下のように配列が入れ替えられている。
・信号線２ａは、左端の位置から、左から３番目の位置に入れ替わる。
・信号線２ｂが、左から２番目の位置から、左から４番目の位置に入れ替わる。
・信号線２ｃは、左から３番目の位置から、左端の位置に入れ替わる。
・信号線２ｄが、左から４番目の位置から、左から２番目の位置に入れ替わる。
・信号線２ｅが、左から５番目の位置を維持する。
・信号線２ｆが、左から６番目の位置を維持する。
・信号線２ｇが、左から７番目の位置から、左から９番目の位置に入れ替わる。
・信号線２ｈが、左から８番目の位置から、右端の位置に入れ替わる。
・信号線２ｉが、左から９番目の位置から、左から７番目の位置に入れ替わる。
・信号線２ｊが、右端の位置から、左から８番目の位置に入れ替わる。
【００９２】
図１２（ａ）は、ＦＰＣ５３内の各信号線５３ａ〜５３ｊのインダクタンス成分の影響の大きさの分布を示す。ＦＰＣ５３には両端に２本だけグランド線が設けられているので、端に近い信号線５３ａ→信号線５３ｂ→信号線５３ｃ→信号線５３ｄ→信号線５３ｅの順に徐々にインダクタンス成分の影響が大きくなり、信号線５３ｆ→信号線５３ｇ→信号線５３ｈ→信号線５３ｉ→端に近い信号線５３ｊの順に徐々にインダクタンス成分の影響が小さくなるという、１つの山の形をした分布となる。
【００９３】
しかし、駆動基板１内では、表示データを伝送する信号線２ａ〜２ｊの配列が前述のように入れ替えられていることから、隣り合う１０個の画素のうち、左端の画素には、ＦＰＣ５３内の信号線５３ｃを経由した表示データが供給され、左から２番目の画素には、ＦＰＣ５３内の信号線５３ｄを経由した表示データが供給される。また、左から３番目の画素には、ＦＰＣ５３内の信号線５３ａ（信号線５３ｃや５３ｄよりもインダクタンス成分の影響が小さい信号線）を経由した表示データが供給され、左から４番目の画素には、ＦＰＣ５３内の信号線５３ｂ（信号線５３ｃや５３ｄよりもインダクタンス成分の影響が小さい信号線）を経由した表示データが供給される。また、左から５番目の画素には、ＦＰＣ５３内の信号線５３ｅ（信号線５３ａや５３ｂよりもインダクタンス成分の影響が大きい信号線）を経由した表示データが供給され、左から６番目の画素には、ＦＰＣ５３内の信号線５３ｆ（信号線５３ａや５３ｂよりもインダクタンス成分の影響が大きい信号線）を経由した表示データＤ９が供給される。また、左から７番目の画素には、ＦＰＣ５３内の信号線５３ｉ（信号線５３ｅや５３ｆよりもインダクタンス成分の影響が小さい信号線）を経由した表示データＤ５が供給され、左から８番目の画素には、ＦＰＣ５３内の信号線５３ｊ（信号線５３ｅや５３ｆよりもインダクタンス成分の影響が小さい信号線）を経由した表示データが供給される。また、左から９番目の画素には、ＦＰＣ５３内の信号線５３ｇ（信号線５３ｉや５３ｊよりもインダクタンス成分の影響が大きい信号線）を経由した表示データが供給され、右端の画素には、ＦＰＣ５３内の信号線５３ｈ（信号線５３ｉや５３ｊよりもインダクタンス成分の影響が大きい信号線）を経由した表示データが供給される。
【００９４】
このようにして、ＦＰＣ５３内のインダクタンス成分の影響が相対的に大きい信号線を経由した表示データと、インダクタンス成分の影響が相対的に小さい信号線を経由した表示データとが、２個の画素から成る画素群に互い違いに供給される。
【００９５】
したがって、隣り合う１０個の画素Ｐ１〜Ｐ１０に供給される表示データは、図１２（ｂ）に示すように、左端，左から２番目の画素Ｐ１，Ｐ２に供給される表示データよりも、左から３番目，４番目の画素Ｐ３，Ｐ４に供給される表示データの電圧レベルが低く、画素Ｐ３，Ｐ４に供給される表示データよりも、左から５番目，６番目の画素Ｐ５，Ｐ６に供給される表示データの電圧レベルが高く、画素Ｐ５，Ｐ６に供給される表示データよりも、左から７番目，８番目の画素Ｐ７，Ｐ８に供給される表示データの電圧レベルが低く、画素Ｐ７，Ｐ８に供給される表示データよりも、左から９番目，右端の画素Ｐ９，Ｐ１０に供給される表示データの電圧レベルが高くなる、という分布になる。すなわち、電圧レベルが徐々に変化する分布ではなく、２個の画素から成る画素群毎に電圧レベルの増加と減少とを互い違いに繰り返す分布となる。
【００９６】
その結果、この１０個の画素Ｐ１〜Ｐ１０では、図示は省略するが、１０画素分の横幅を１つの山とする輝度ムラパターンではなく、２画素毎に輝度の明暗を繰り返す輝度ムラパターンが現れるようになる。すなわち、輝度ムラの空間周波数が、人間の目で目視しにくく、または目視することができない程度にまで高くなる。
【００９７】
これにより、駆動ドライバの電流駆動能力を変えたり、配線材の長さを短くしたりすることなく、配線材内のインダクタンス成分の影響のバラつきによる輝度ムラを、人間の目で目視しにくく、または目視することができない程度にまで低減することができる。
【００９８】
次に、図１３は、図４の画素Ｐが３個の画素を表示単位として赤，緑及び青色の３原色（ＲＧＢ）を表示するものである場合に、３個の画素を前述の画素群とした例を示す図（隣り合う１２個の画素を単位として書き込みを行うために、１２本の信号線５４ａ〜５４ｉを配置するとともに両端に２本だけグランド線を設けたフレキシブルプリント配線板（ＦＰＣ）５４を用いた場合についての図）である。信号線５４ａ〜５４ｃでは、同じ表示単位を構成する３個の画素のためのＲＧＢの表示データが伝送される。同様にして、信号線５４ｄ〜５４ｆ，信号線５４ｇ〜５４ｉ，信号線５４ｊ〜５４ｌでも、それぞれ、同じ表示単位を構成する３個の画素のためのＲＧＢの表示データが伝送される。駆動基板１には、ＦＰＣ５４を経由した表示データをデータ線ドライバ３（ここでは、データ線ドライバ３には、図４の切替スイッチ４〜７のように５本ずつのデータ線Ｙに表示データを供給する切替スイッチではなく、１２本ずつのデータ線Ｙに表示データを供給する切替スイッチが設けられる）に伝送するための１２本の信号線２ａ〜２ｌが形成されている。
【００９９】
この信号線２ａ〜２ｌは、ＦＰＣ５４に接続される側ではデータ線ドライバ３から見て左から信号線２ａ，２ｂ，２ｃ，２ｄ，２ｅ，２ｆ，２ｇ，２ｈ，２ｉ，２ｊ，２ｋ，２ｌの順に（すなわちそれぞれ信号線５４ａ，５４ｂ，５４ｃ，５４ｄ，５４ｅ，５４ｆ，５４ｇ，５４ｈ，５４ｉ，５４ｊ，５４ｋ，５４ｌに接続するように）に配列されているが、データ線ドライバ３に接続される側では、データ線ドライバ３から見て以下のように配列が入れ替えられている。
・信号線２ａは、左端の位置から、左から４番目の位置に入れ替わる。
・信号線２ｂが、左から２番目の位置から、左から５番目の位置に入れ替わる。
・信号線２ｃは、左から３番目の位置から、左から６番目の位置に入れ替わる。
・信号線２ｄが、左から４番目の位置から、左端の位置に入れ替わる。
・信号線２ｅが、左から５番目から、左から２番目の位置に入れ替わる。
・信号線２ｆが、左から６番目から、左から３番目の位置に入れ替わる。
・信号線２ｇが、左から７番目の位置を維持する。
・信号線２ｈが、左から８番目の位置を維持する。
・信号線２ｉが、左から９番目の位置を維持する。
・信号線２ｊが、左から１０番目の位置を維持する。
・信号線２ｋが、左から１１番目の位置を維持する。
・信号線２ｌが、右端の位置を維持する。
【０１００】
図１４（ａ）は、ＦＰＣ５４内の各信号線５４ａ〜５４ｌのインダクタンス成分の影響の大きさの分布を示す。ＦＰＣ５４には両端に２本だけグランド線が設けられているので、端に近い信号線５４ａ→信号線５４ｂ→信号線５４ｃ→信号線５４ｄ→信号線５４ｅ→信号線５４ｆの順に徐々にインダクタンス成分の影響が大きくなり、信号線５４ｇ→信号線５４ｈ→信号線５４ｉ→信号線５４ｊ→信号線５４ｋ→端に近い信号線５４ｌの順に徐々にインダクタンス成分の影響が小さくなるという、１つの山の形をした分布となる。
【０１０１】
しかし、駆動基板１内では、表示データを伝送する信号線２ａ〜２ｌの配列が前述のように入れ替えられていることから、隣り合う１２個の画素のうち、左から１番目〜３番目の３個の画素（ＲＧＢの表示単位）には、ＦＰＣ５４内の信号線５４ｄ〜５４ｆを経由した表示データが供給される。また、左から４番目〜６番目の３個の画素（ＲＧＢの表示単位）には、ＦＰＣ５４内の信号線-（信号線５４ｄ〜５４ｆよりもインダクタンス成分の影響が小さい信号線）を経由した表示データが供給される。また、左から７番目〜９番目の３個の画素（ＲＧＢの表示単位）には、ＦＰＣ５４内の信号線５４ｇ〜５４ｉ（信号線５４ｄ〜５４ｆよりもインダクタンス成分の影響が大きい信号線）を経由した表示データが供給される。また、左から１０番目〜１２番目の３個の画素（ＲＧＢの表示単位）には、ＦＰＣ５４内の信号線５４ｊ〜５４ｌ（信号線５４ｇ〜５４ｉよりもインダクタンス成分の影響が小さい信号線）を経由した表示データが供給される。
【０１０２】
このようにして、ＦＰＣ５４内のインダクタンス成分の影響が相対的に大きい信号線を経由した表示データと、インダクタンス成分の影響が相対的に小さい信号線を経由した表示データとが、ＲＧＢの表示単位である３個の画素から成る画素群に互い違いに供給される。
【０１０３】
したがって、隣り合う１２個の画素Ｐ１〜Ｐ１２に供給される表示データは、図１４（ｂ）に示すように、左から１番目〜３番目の３個の画素Ｐ１〜Ｐ３（ＲＧＢの表示単位）に供給される表示データよりも、左から４番目〜６番目の３個の画素Ｐ４〜Ｐ６（ＲＧＢの表示単位）に供給される表示データの電圧レベルが低く、画素Ｐ４〜Ｐ６に供給される表示データよりも、左から７番目〜９番目の３個の画素Ｐ７〜Ｐ９（ＲＧＢの表示単位）に供給される表示データの電圧レベルが高く、画素Ｐ７〜Ｐ９に供給される表示データよりも、左から１０番目〜１２番目の３個の画素Ｐ１０〜Ｐ１２（ＲＧＢの表示単位）に供給される表示データの電圧レベルが低い、という分布になる。すなわち、電圧レベルが徐々に変化する分布ではなく、ＲＧＢの表示単位である３個の画素から成る画素群毎に電圧レベルの増加と減少とを互い違いに繰り返す分布となる。
【０１０４】
その結果、この１２個の画素Ｐ１〜Ｐ１２では、図示は省略するが、１２画素分の横幅を１つの山とする輝度ムラパターンではなく、３画素毎に輝度の明暗を繰り返す輝度ムラパターンが現れるようになる。すなわち、輝度ムラの空間周波数が、人間の目で目視しにくく、または目視することができない程度にまで高くなる。
【０１０５】
これにより、駆動ドライバの電流駆動能力を変えたり、配線材の長さを短くしたりすることなく、配線材内のインダクタンス成分の影響のバラつきによる輝度ムラを、人間の目で目視しにくく、または目視することができない程度にまで低減することができる。
【０１０６】
以上の例では、点順次駆動方式の反射型液晶表示デバイスに本発明を適用している。しかし、これに限らず、線順次駆動方式の反射型液晶表示デバイスや、透過型液晶表示デバイスにも本発明を適用してよい。さらには、液晶表示デバイス以外のアナログ駆動方式の表示デバイス（電界電子放出型ディスプレイ表示デバイス（ＦＥＤ），有機ＥＬ表示デバイス，無機ＥＬ表示デバイス等）にも本発明を適用してよい。さらには、ＰＡＭ（パルス振幅変調）された表示データが供給されるデジタル駆動方式の表示デバイスにも本発明を適用してよい。そして、表示デバイス内で信号線の配列を入れ替えることが困難な構造の表示デバイスに本発明を適用する場合には、前述のように、表示デバイスとフレキシブルプリント配線板との間に基板（例えば多層基板）を介在させ、この基板内で表示データを伝送する複数の信号線の配列を入れ替えるようにすれば、表示デバイス自体の構造とは無関係に容易に信号線の配列の入れ替えを行うことができる。
【０１０７】
また、図４の例では、駆動ドライバＩＣ６１からＦＰＣ５１を介して表示データを供給している。しかし、インダクタンス成分の影響のバラつきは、複数本の信号線が並列的に配置された配線材であれば、フレキシブルプリント配線板以外のもの（例えばフレキシブルフラットケーブル（ＦＦＣ））でも発生する。したがって、本発明は、駆動ドライバＩＣから、フレキシブルプリント配線板以外の配線材であって複数本の信号線が並列的に配置されたものを介して表示データを供給する場合にも適用してよい。
【０１０８】
また、図８には、本発明を液晶プロジェクターに適用した例を示した。しかし、本発明に係る配線構造は、液晶プロジェクターなどのプロジェクションシステムに限らず、テレビジョン受像機，パーソナルコンピュータのモニター，ヘッドマウントディスプレイ，ビデオカメラ・デジタルカメラのビューファインダー，携帯電話・情報端末装置のディスプレイといった様々な表示装置に適用することができる。
【図面の簡単な説明】
【０１０９】
【図１】従来の液晶表示デバイスの配線構造を示す図である。
【図２】図１の配線構造による表示データのレベル分布を示す図である。
【図３】図１の液晶表示デバイスの輝度ムラを示す図である。
【図４】本発明を適用した液晶表示デバイスの配線構造の一例を示す図である。
【図５】図４の駆動基板における信号線の具体的な形成例を示す図である。
【図６】図４の配線構造による表示データのレベル分布を示す図である。
【図７】図４の液晶表示デバイスの輝度ムラを示す図である。
【図８】本発明を適用した液晶プロジェクターの光学系の構成例を示す図である。
【図９】図４の駆動基板の配線構造の別の例を示す。
【図１０】図９の配線構造による表示データのレベル分布を示す図である。
【図１１】図４の駆動基板の配線構造の別の例を示す。
【図１２】図１１の配線構造による表示データのレベル分布を示す図である。
【図１３】図４の駆動基板の配線構造の別の例を示す。
【図１４】図１３の配線構造による表示データのレベル分布を示す図である。
【符号の説明】
【０１１０】
１  反射型液晶表示デバイスの駆動基板、  ２ａ〜２ｅ  駆動基板内の信号線、  ３１
駆動ドライバＩＣを搭載した基板、  ３１ａ〜３１ｅ  基板内の信号線、  ５１  フレキシブルプリント配線板（ＦＰＣ）、  ５１ａ〜５１ｅ  フレキシブルプリント配線板内の信号線、  ５２  フレキシブルプリント配線板、  ５２ａ〜５２ｊ  フレキシブルプリント配線板内の信号線、  ５３  フレキシブルプリント配線板、  ５３ａ〜５３ｊ  フレキシブルプリント配線板内の信号線、  ５４  フレキシブルプリント配線板、  ５４ａ〜５４ｆ  フレキシブルプリント配線板内の信号線、６１  駆動ドライバＩＣ
【図１】
2007219496.tif 000003
【図２】
2007219496.tif 000004
【図４】
2007219496.tif 000005
【図５】
2007219496.tif 000006
【図６】
2007219496.tif 000007
【図８】
2007219496.tif 000008
【図９】
2007219496.tif 000009
【図１０】
2007219496.tif 000010
【図１１】
2007219496.tif 000011
【図１２】
2007219496.tif 000012
【図１３】
2007219496.tif 000013
【図１４】
2007219496.tif 000014
【図３】
2007219496.tif 000015
【図７】
2007219496.tif 000016